(57)【要約】【課題】対向する表面部１と裏面部２を接合する外縁ヒートシール部３にノッチ４を形成した開封開始側縁部から該ノッチ４を介して引き裂き開封される包装袋について、短い切り込みを形成するだけで、開封後の表面部１と裏面部２の開封端の位置をずらせる段切り開封を可能にする。【解決手段】外縁ヒートシール部３の内側に隣接して、表面部１又は裏面部２のノッチ４と対向する位置に、ノッチ４から引き裂き方向への延長線６と交差し、一端が、該延長線６との交点７より内側に位置し、しかも前記延長線６からずれた段切り案内用切り込み５を形成する。【選択図】      図１
2004238047.tif 000002
【特許請求の範囲】
【請求項１】
対向する表面部と裏面部を接合する外縁ヒートシール部にノッチが形成された開封開始側縁部から該ノッチを介して引き裂き開封される包装袋において、
前記外縁ヒートシール部の内側に隣接して、表面部と裏面部の一方に段切り案内用切り込みが形成されており、該段切り案内用切り込みは、ノッチから引き裂き方向への延長線と交差し、一端が、該延長線との交点より内側に位置し、しかも前記延長線からずれていることを特徴とする包装袋。
【請求項２】
前記表面部と裏面部の他方にも前記段切り案内用切り込みが形成されており、該表面部と裏面部にそれぞれ形成された両段切り案内用切り込みの一端が、互いに前記延長線から反対方向にずれていることを特徴とする請求項１に記載の包装袋。
【請求項３】
前記表面部と裏面部の一方に形成された段切り案内用切り込みが、前記延長線に対して、前記表面部と裏面部の他方に形成された段切り案内用切り込みと対称に形成されていることを特徴とする請求項２に記載の包装袋。
【請求項４】
前記段切り案内用切り込みが、前記延長線に対して傾斜した直線状であることを特徴とする請求項１〜３のいずれか１項に記載の包装袋。
【請求項５】
前記段切り案内用切り込みの他端も、前記延長線との交点より内側に位置し、しかも前記延長線からずれており、この他端の該延長線からのずれが、前記一端とは前記延長線を挟んで反対方向であることを特徴とする請求項１に記載の包装袋。
【請求項６】
前記段切り案内用切り込みが、前記延長線に対して対称に形成されていることを特徴とする請求項５に記載の包装袋。
【請求項７】
前記段切り案内用切り込みが、前記ノッチに底部を向け、前記延長線と該底部で交差するＶ字形もしくはＵ字形をなすことを特徴とする請求項６に記載の包装袋。
【請求項８】
前記外縁ヒートシール部と前記段切り案内用切り込みの間に、開封時に前記ノッチから伝播する裂け目を前記段切り案内用切り込みの中央部へ案内する補助切り込みが形成されていることを特徴とする請求項６又は７に記載の包装袋。
【請求項９】
前記補助切り込みが、前記段切り案内用切り込みに底部を向け、該底部が該段切り案内用切り込みの中央部に接したＹ字形又はＶ字形をなすことを特徴とする請求項８に記載の包装袋。
【請求項１０】
前記段切り案内用切り込みの形成領域を被包装物の収納領域と仕切る仕切り用ヒートシール部が形成されていることを特徴とする請求項１〜９のいずれか１項に記載の包装袋。
【請求項１１】
開封後に開閉可能なジッパーを有することを特徴とする請求項１〜１０のいずれか１項に記載の包装袋。
【請求項１２】
前記開封開始側縁部とは反対側の縁部である開封終端側縁部に、開封時に、前記段切り案内用切り込みによってずれて伝播する表面部と裏面部の裂け目を揃った位置に合流させる切り離し用切り込みが形成されていることを特徴とする請求項１〜１１のいずれか１項に記載の包装袋。
【発明の詳細な説明】
【０００１】
【発明の属する技術分野】
本発明は、対向する表面部と裏面部を接合する外縁ヒートシール部にノッチを形成した開封開始側縁部から該ノッチを介して引き裂き開封される包装袋に関する。
【０００２】
【従来の技術】
従来、対向する表面部と裏面部にそれぞれを横断して形成されたミシン目などの弱め線に沿って開封される包装袋において、開封後の表面部と裏面部の開封端が重なって摘みにくく、開封部を広げにくいことから、表面部と裏面部の弱め線の位置をずらし、開封時にこのずれた弱め線に沿って開封されるようにし、開封後の表面部と裏面部の開封端の位置をずらせる段切り開封により、開封後の表面部と裏面部の開封端を摘んで広げやすくしたものが知られている（例えば、特許文献１参照）。
【０００３】
【特許文献１】
特開２００１−１５１２４６
【０００４】
【発明が解決しようとする課題】
しかしながら、上記従来の包装袋の場合、段切り開封をできるようにするために、表面部と裏面部のそれぞれを横断して弱め線を形成しなければならず、長い弱め線を形成する分、コスト高になる問題がある。
【０００５】
一方、ノッチを形成した開封開始側縁部から該ノッチを介して引き裂き開封される包装袋は、通常、１軸延伸フィルムを基材層とした積層フィルムを用い、この１軸延伸フィルムが延伸方向に裂け目が伝播しやすいことを利用して、縁部にノッチを付けておくだけで、必要な範囲を引き裂き開封できるようにしたものとなっている。即ち、縁部にノッチさえ付けておけば、基材層の延伸方向に裂け目が伝播して開封できるので、引き裂きを誘導するための弱め線は本来不要である。
【０００６】
前記従来の包装袋は、本来、裂け目の伝播に方向性の乏しい紙などを基材にした包装材料を用いた場合を対象としたものであり、裂け目が一定方向に伝播しやすい上記包装材料で構成した包装袋について前記従来の包装袋のような弱め線を設けることは、無駄なコストをかけることになる。
【０００７】
本発明は、上記従来の問題点に鑑みてなされたもので、対向する表面部と裏面部を接合する外縁ヒートシール部にノッチを形成した開封開始側縁部から該ノッチを介して引き裂き開封される包装袋、即ち裂け目が一定方向に伝播しやすい包装材料で構成した包装袋について、短い切り込みを形成するだけで、開封後の表面部と裏面部の開封端の位置をずらせる段切り開封を可能にすることを目的とする。
【０００８】
【課題を解決するための手段】
上記目的のために、本発明は、対向する表面部と裏面部を接合する外縁ヒートシール部にノッチが形成された開封開始側縁部から該ノッチを介して引き裂き開封される包装袋において、前記外縁ヒートシール部の内側に隣接して、表面部と裏面部の一方に段切り案内用切り込みが形成されており、該段切り案内用切り込みは、ノッチから引き裂き方向への延長線と交差し、一端が、該延長線との交点より内側に位置し、しかも前記延長線からずれていることを特徴とする包装袋を提供するものである。
【０００９】
上記本発明は、前記表面部と裏面部の他方にも前記段切り案内用切り込みが形成されており、該表面部と裏面部にそれぞれ形成された両段切り案内用切り込みの一端が、互いに前記延長線から反対方向にずれていること、
前記表面部と裏面部の一方に形成された段切り案内用切り込みが、前記延長線に対して、前記表面部と裏面部の他方に形成された段切り案内用切り込みと対称に形成されていること、
前記段切り案内用切り込みが、前記延長線に対して傾斜した直線状であること、
前記段切り案内用切り込みの他端も、前記延長線との交点より内側に位置し、しかも前記延長線からずれており、この他端の該延長線からのずれが、前記一端とは前記延長線を挟んで反対方向であること、
前記段切り案内用切り込みが、前記延長線に対して対称に形成されていること、
前記段切り案内用切り込みが、前記ノッチに底部を向け、前記延長線と該底部で交差するＶ字形もしくはＵ字形をなすこと、
前記外縁ヒートシール部と前記段切り案内用切り込みの間に、開封時に前記ノッチから伝播する裂け目を前記段切り案内用切り込みの中央部へ案内する補助切り込みが形成されていること、
前記補助切り込みが、前記段切り案内用切り込みに底部を向け、該底部が該段切り案内用切り込みの中央部に接したＹ字形又はＶ字形をなすこと、
前記段切り案内用切り込みの形成領域を被包装物の収納領域と仕切る仕切り用ヒートシール部が形成されていること、
開封後に開閉可能なジッパーを有すること、
前記開封開始側縁部とは反対側の縁部である開封終端側縁部に、開封時に、前記段切り案内用切り込みによってずれて伝播する表面部と裏面部の裂け目を揃った位置に合流させる切り離し用切り込みが形成されていること、
をその好ましい態様として含むものである。
【００１０】
【発明の実施の形態】
以下、図面に基づいて本発明を更に説明する。なお、以下の説明においては、図面上、上方に露出している面を表面部、下方の面を裏面部とするが、この表面部と裏面部は逆であってもよい。また、各図において、同じ符号は同じ部材又は部位を示す。
【００１１】
まず、図１〜図４に基づいて、本発明に係る包装袋の第１の例を説明する。
【００１２】
本例の包装袋は、図１に示されるように、対向する表面部１と裏面部２（図面上、下方に隠れている裏面部の符号はカッコ付きで表示する）を接合する外縁ヒートシール部３を四方に形成した四方シール袋となっている。
【００１３】
一側の外縁シール部３の端縁には、図１及び図２に示されるように、ノッチ４が形成されている。このノッチ４は、引き裂き開始時に要する力を軽減するためのもので、本包装袋を引き裂き開封する際の引き裂き開始部となる箇所である。従って、外縁シール部３にノッチ４が形成された包装袋の縁部（図１における包装袋の左側の縁部）は、開封時に引き裂きが開始される開封開始側縁部となっている。図示されるノッチ４は、Ｖ形の切り欠き部であるＶノッチであるが、単なる切り込みとして形成されるＩノッチとすることもできる。
【００１４】
表面部１には、上記ノッチ４と対向する位置に、上記開封開始側縁部を構成する外縁シール部３の内側に隣接して、段切り案内用切り込み５が形成されている。この段切り案内用切り込み５は、上記ノッチ４から引き裂き方向への延長線６に対して、ノッチ４とは反対方向に向かって下り傾斜し、該延長線６と交差した短い直線状をなしている。段切り案内用切り込み５の内側端部（図中、段切り案内用切り込み５の右側の端部）は、延長線６との交点７よりも延長線６に沿った方向において包装袋の内側で、上記延長線６から下方にずれて位置している。
【００１５】
上記ノッチ４から引き裂き方向への延長線６とは、ノッチを４を基点として、ノッチ４から生じた裂け目が伝播しやすい方向に伸ばした仮想線をいう。また、本明細書において、段切り案内用切り込み５と延長線６の交差とは、段切り案内用切り込み５と延長線６が十文字に交わることの他、延長線６に段切り案内用切り込み５の一端が接触することをも含む。従って、段切り案内用切り込み５と延長線６の交点７は、上記十文字に交わる点と、上記接触点の両者を意味する。
【００１６】
ところで、本例の表面部１と裏面部２は、図３に示されるように、一軸延伸フィルムである基材層８と、この基材層８に積層されたシーラント層９とからなる積層フィルムで構成されている。この表面部１と裏面部２を構成する積層フィルムは、シーラント層９同志を向き合わせ、しかも基材層８の延伸方向を図１における左右方向に向けて重ねられている。特に、基材層８を構成する一軸延伸フィルムは、一旦裂け目が入ると、この裂け目が延伸方向に伝播しやすい性質を有する。本発明の包装袋は、この裂け目の伝播の方向性を利用して引き裂き開封できるようにしたもので、上記ノッチ４から引き裂き方向への延長線６は、ノッチ４を基点として、基材層８の延伸方向へ伸ばした仮想線でもある。
【００１７】
上記基材層８としては、例えばポリプロピレン、ポリエチレン、ポリエチレンテレフタレート、ポリアミドなどの一軸延伸フィルムを用いることができる。また、上記シーラント層９としては、ポリエチレン、エチレン−酢酸ビニル共重合体、アイオノマー樹脂などの未延伸フィルムを用いることができる。
【００１８】
前記段切り案内用切り込み５は、上記基材層８とシーラント層９の両者を貫通して形成するのが簡便であるが、基材層８のみを貫通して形成しておくこともできる。基材層８のみを貫通する段切り案内用切り込み５を有する積層フィルムは、基材層８を構成する一軸延伸フィルムの所定の箇所に段切り案内用切り込み５を形成した後、シーラント層９を積層することで得ることができる。
【００１９】
本例の包装袋は、図１に示されるノッチ４の上部と下部を摘み、上部を図面の表面側右方向へ引き、ノッチ４から引き裂きを開始すると、裂け目が段切り案内用切り込み５の位置に達したときに、段切り案内用切り込み５が表面部１のみに形成されているので、図４に示されるように、裏面部２の裂け目はそのまま延長線６方向に伝播するが、表面部１の裂け目は段切り案内用切り込み５によって下方へずらされる。つまり、ノッチ４から生じる表面部１の裂け目の伝播は、段切り案内用切り込み５に突き当たって一旦停止した後、裏面部２の裂け目の伝播に伴って、再び段切り案内用切り込み５の内側端部から延長線６と平行方向に生じることになる。従って、この引き裂きによって生じる表面部１と裏面部２の開封端は、図４に示されるように、段切り案内用切り込み５の内側端部と延長線６間のずれ量に応じて、表面部１側より裏面部２側が上方に突出して上下にずれることになる。従って、上記開封端がくっついていても、上記ずれ部分を摘んで両者を剥がし、開封部を容易に広げることができる。
【００２０】
上記例において、段切り案内用切り込み５は直線であるが、段切り案内用切り込み５は曲線状に形成することもできる。但し、図示されるような延長線６に対して傾斜した直線状に形成する方が簡便である。また、ノッチ４から伝播する裂け目が多少上方にずれても確実に段切り案内用切り込み５に達するよう、段切り案内用切り込み５は延長線６と十文字に交わるように形成しておくことが好ましい。
【００２１】
本例の包装袋は四方シール袋であるが、本発明はこれに限定されるものではなく、１枚の積層フィルムを二つ折りにし、三方の合わせ目を外縁シール部３で接合した三方シール袋とすることもできる。
【００２２】
次に、図５〜７に基づいて本発明に係る包装袋の第２の例を説明する。
【００２３】
本例の包装袋は、上述した第１の例の包装袋と基本的には同じであるが、段切り案内用切り込み５が、表面部１のみではなく、裏面部２にも形成されたものとなっている。
【００２４】
更に説明すると、図５及び図６に示されるように、表面部１に形成されている段切り案内用切り込み５は、上述の第１の例と同様であるが、裏面部２にも、この表面部１の段切り案内用切り込み５と延長線６に対して対称に段切り案内用切り込み５’が形成されている。即ち、裏面部２には、開封開始側縁部を構成する外縁シール部３の内側に隣接して、ノッチ４から引き裂き方向への延長線６に対して、ノッチ４とは反対方向に向かって登り傾斜し、該延長線６と交差した短い直線状をなす段切り案内用切り込み５’が形成されている。また、この段切り案内用切り込み５’の内側端部（図中、案切り案内用切り込み５’の右側の端部）は、延長線６との交点７’よりも延長線６に沿った方向において包装袋の内側で、上記延長線６から上方にずれて位置している。
【００２５】
本例の包装袋は、図５に示されるノッチ４の上部と下部を摘み、上部を図面の表面側右方向へ引き、ノッチ４から引き裂きを開始すると、裂け目が段切り案内用切り込み５，５’の位置に達したときに、段切り案内用切り込み５，５’が表面部１と裏面部２に形成されているので、図７に示されるように、表面部１の裂け目は段切り案内用切り込み５によって下方へずらされ、裏面部２の裂け目は段切り案内用切り込み５’によって上方へずらされる。つまり、ノッチ４から生じる表面部１及び裏面部２の裂け目の伝播は、それぞれ段切り案内用切り込み５，５’に突き当たって一旦停止した後、再び段切り案内用切り込み５，５’の内側端部から延長線６と平行方向にそれぞれ生じることになる。従って、この引き裂きによって生じる表面部１と裏面部２の開封端は、図７に示されるように、両段切り案内用切り込み５，５’の内側端部間のずれ量に応じて上下にずれることになる。
【００２６】
図８〜図１１に基づいて本発明に係る包装袋の第３の例を説明する。
【００２７】
本例における段切り案内用切り込み５は、上記ノッチ５と対向する位置の表面部１に形成されており、開封開始側縁部を構成する外縁シール部３の内側に隣接し、ノッチ４から引き裂き方向への延長線６と交差して形成されている点では前述の第１の例と同様である。しかし、本例における段切り案内用切り込み５は、図８及び図９に示されるように、延長線６に沿った方向において、両端が延長線６との交点７より内側にあってかつ延長線６からずれて位置しており、この両端の延長線６からのずれ方向が、互いに延長線６を挟んで反対方向となっている。
【００２８】
更に具体的に本例における段切り案内用切り込み５を説明すると、本例の段切り案内用切り込み５は、ノッチ４に底部を向け、延長線６と該底部で交差するＵ字形をなしている。なお、本明細書におけるＵ字形とは、底部が下向き凸の弧状で左右が直線状である形状の他、下向き凸の単なる弧状、底部及び左右共に直線の形状を含むものである。ちなみに、図示される段切り案内用切り込み５は、下向き凸の単なる弧状をなすものとなっている。
【００２９】
本例の包装袋は、ノッチ４から引き裂きを開始すると、裂け目が段切り案内用切り込み５の位置に達したときに、段切り案内用切り込み５が表面部１のみに形成されているので、図１０に示されるように、裏面部２の裂け目はそのまま延長線６方向に伝播する。これは前述の第１の例と同様である。
【００３０】
ところで、本例の場合、開封を、図８に示されるノッチ４の上部と下部を摘み、上部を図面の表面側右方向へ引く引き切りで行うか、上部を図面の裏面側右方向へ押す押し切りで行うかで、表面部１の裂け目の伝播状態が相違してくる。
【００３１】
まず、開封が引き切りで行われる場合、表面部１の裂け目は、段切り案内用切り込み５によって下方へずらされる。つまり、ノッチ４から生じる表面部１の裂け目の伝播は、段切り案内用切り込み５に突き当たって一旦停止した後、裏面部２の裂け目の伝播に伴って、引き手側から離れた案内用切り込み５の下側端部から延長線６と平行方向に生じることになる。従って、この引き切りによって生じる表面部１と裏面部２の開封端は、図１０に示されるように、段切り案内用切り込み５の下端部と延長線６間のずれ量に応じて、表面部１側より裏面部２側が上方に突出して上下にずれることになる。
【００３２】
また、開封が押し切りで行われる場合、表面部１の裂け目は、段切り案内用切り込み５によって上方へずらされる。つまり、段切り案内用切り込み５に突き当たった後の表面部１の裂け目の伝播は、押し手側に近い案段切り内用切り込み５の上側端部から延長線６と平行方向に生じることになる。従って、この押し切りによって生じる表面部１と裏面部２の開封端は、図１１に示されるように、段切り案内用切り込み５の上端部と延長線６間のずれ量に応じて、表面部１側が裏面部２側より上方に突出して上下にずれることになる。
【００３３】
本例によれば、引き切りであるか押し切りであるかに拘わらず、確実に段切り開封を行うことができる。また、引き切りと押し切りのいずれにおいても、表面部１と裏面部２の開封端部のずれ量を同程度とするために、段切り案内用切り込み５は延長線６に対して対称に形成しておくことが好ましい。
【００３４】
引き切りと押し切りの両者へ対応できる点は、図１２に示されるようなＶ字形の段切り案内用切り込み５でも同様である。この図１２に示される段切り案内用切り込み５は、底部をノッチ４に向けて、延長線６と該底部で交差するＶ字形をなしている。また、ノッチ５と対向する位置の表面部１に形成されており、開封開始側縁部を構成する外縁シール部３の内側に隣接し、ノッチ４から引き裂き方向への延長線６と交差して形成されている点は、図８及び図９に示される段切り案内用切り込み５と共通しているものである。
【００３５】
引き切りと押し切りの両者に対応できる段切り案内用切り込み５は、常に同様の段切り開封状態が安定して得られるようにするために、図１３又は図１４に示されるような補助切り込み１０を併用し、ノッチ４から伝播する裂け目が段切り案内用切り込み５の中央部に誘導されるようにしておくことが好ましい。
【００３６】
上記補助切り込み１０は、外縁ヒートシール部３と段切り案内用切り込み５の間に設けられ、開封時にノッチ４から伝播する裂け目を段切り案内用切り込み５の中央部へ案内するものである。図１３に示される補助切り込み１０は、段切り案内用切り込み５に底部を向け、該底部が該段切り案内用切り込み５の中央部に接したＹ字形をなしている。図１４に示される補助切り込み１０は、段切り案内用切り込み５に底部を向け、該底部が該段切り案内用切り込み５の中央部に接したＶ字形をなしている。なお、本明細書におけるＹ字形とは、上部がＶ字形の場合以外に、上部が前記定義したＵ字形をなすものも含むものである。
【００３７】
上記補助切り込み１０は、表面部１と裏面部２のいずれか一方に設けることでもよいが、ずれた裂け目の伝播方向を確実に是正することができるようにするためには、表面部１と裏面部２に共に形成することが好ましい。
【００３８】
図１５は、本発明に係る包装袋の第４の例を示すもので、段切り案内用切り込み５の形成領域を被包装物の収納領域から仕切る仕切り用ヒートシール部１１を形成したものとなっている。本例における仕切り用ヒートシール部１１は、段切り案内用切り込み５を外縁ヒートシール部３のコーナー部に囲い込むＬ字形に形成されている。仕切り用ヒートシール部１１を形成しておくと、段切り案内用切り込み５を、表面部１を貫通して形成した場合でも、被包装物の漏出や被包装物の外気との接触を防止することができる。
【００３９】
また、開封は、この仕切り用ヒートシール部１１を横断して引き裂くことで行われることになるので、仕切り用ヒートシール部１１は外縁ヒートシール部３に比して付着力の弱いものであることが好ましく、その幅も外縁ヒートシール部３に比して細くしておくことが好ましい。
【００４０】
図１６及び図１７は、本発明に係る包装袋の第５の例を示すもので、開封後に開閉することができるジッパー１２を有し、仕切り用ヒートシール部１１をこのジッパー１２と平行に設けたものとなっている。本例の場合、図１７に示す引き裂き開封後の状態において、上下にずれた表面部１と裏面部２の開封端を摘んで仕切り用ヒートシール部１１を引き剥がして最終的な開封状態が得られることから、この仕切り用ヒートシール部１１は手で容易に引き剥がせる程度の弱シールとしておくことが好ましい。特に本例のようなジッパー１２を有する包装袋は、繰り返し開閉使用されるだけでなく、ジッパー１２によって開封端がくっつき合った状態で閉鎖されるので、段切り開封して表面部１と裏面部２の開封端を摘みやすくしておくと、ジッパー１２による閉鎖後の開封作業も格段に行いやすくなる。
【００４１】
図１８〜図２０は、本発明に係る包装袋の第６の例を示すもので、ノッチ４が設けられた開封開始側縁部とは反対側の縁部である開封終端側縁部に、開封時に、段切り案内用切り込み５によってずれて伝播する表面部１と裏面部２の裂け目を揃った位置に合流させる切り離し用切り込み１３が形成されたものとなっている。図示される切り離し用切り込み１３は、開封終端側縁部に形成された外縁ヒートシール部３の内側に隣接して、延長線６と中央部が交差する位置に形成され、底部を開封終端側縁部に向けたＹ字形の切り込みとなっている。また、この切り離し用切り込み１３の延長線６に直角方向の間隔は、段切り案内用切り込み５の該間隔より広くなっている。
【００４２】
更に説明すると、段切り開封する場合、表面部１と裏面部２の裂け目の位置が上下にずれるので、開封終端側縁部において表面部１と裏面部２の裂け目間を切断しないと、開封除去片（開封時に除去される包装袋の端縁部）を開封された包装袋から分離することができない。
【００４３】
具体的には、図１８に示される段切り案内用切り込み５は、前述した第３の例における段切り案内用切り込み５（図８及び図９参照）と同じ形状であるので、例えば引き切りで開封する場合、図１０に示されるように、背面部２の裂け目と表面部１の裂け目が上下にずれて伝播する。このため、表面部１と裏面部２の裂け目が開封終端側縁部の外縁ヒートシール部３に突き当たったときに、このシールを剥がさないと伝播しにくくなり、引き裂き抵抗が増大する。
【００４４】
一方、図１８及び図１９に示されるような切り離し用切り込み１３を設けておくと、表面部１側の裂け目は、Ｙ字形の切り込みである切り離し用切り込み１３に達し、これによって該Ｙ字形の底部から再度伝播するように誘導される。従って、図２０に示されるように、表面部１の裂け目が、延長線６に沿った裏面部２の裂け目と位置が揃い、引き裂き抵抗を大きく増加させることなく、開封終端側縁部の外縁ヒートシール部３を横断して裂け目を伝播させ、開封除去片を開封された包装袋から分離することができる。切り離し用切り込み１３の延長線６に直角方向の間隔が、段切り案内用切り込み５の該間隔より広くなっているのは、上記表面部１の裂け目を確実に切り離し用切り込み１３で捕らえることができるようにするためのものである。
【００４５】
切り離し用切り込み１３は、表面部１と裏面部２のうち、いずれか一方のみに設け、これを設けた側の切れ目の伝播位置を他方の切れ目の伝播位置に一致させるようなものであればよいが、前述した引き切りと押し切りの両者に対応できる段切り案内用切り込み５の場合、表面部１と裏面部２の両者に設けて引き切りと押し切りの何れの場合でも容易に開封除去片を分離することができるようにしておくことが好ましい。
【００４６】
図２１は、切り離し用切り込み１３の他の例を示すもので、図示される切り離し用切り込み１３は、前記延長線６と中央部が交差する位置に形成され、底部を前記開封終端側縁部に向けたＶ字形をなしている。また、延長線６に直角方向の間隔が、段切り案内用切り込み５の該間隔より広くなっているのは上記第６の例における切り離し用切り込み１３と同様である。このＶ字形の切り離し用切り込み１３でも、前記第６の例におけるＹ字形の切り離し用切り込み１３と同様に、容易に開封除去片を分離することができる。
【００４７】
本発明の包装袋を構成する表面部１及び裏面部２に用いられる積層フィルムとしては、図３で説明したようなものの他、図２２に示されるものも使用することができる。
【００４８】
図２２に示される積層フィルムは、一軸延伸フィルムで構成された基材層８の片面に、接着層１４を介してバリア層１５を積層し、このバリア層１５上にシーラント層９を積層したものとなっている。特に、基材層８を構成する一軸延伸フィルムに段切り案内用切り込み５や切り離し用切り込み１３を設けた後、接着層１４を介してバリア層１５を積層し、更にシーラント層９を積層し、バリア層に段切り案内用切り込み５や切り離し用切り込み１３が貫通していない積層フィルムを用いると、前述の仕切り用ヒートシール部１１を形成することなく、被包装物と外気との接触を防止できる包装袋を得ることができる。
【００４９】
上記接着層１４としては、シーラント層９と同様のものを用いることができる。また、バリア層１５としては、切れ目の伝播を阻害しにくいアルミニウム箔などを好適に用いることができる。
【００５０】
【発明の効果】
本発明は、以上説明したとおりのものであり、対向する表面部と裏面部を接合する外縁ヒートシール部にノッチを形成した開封開始側縁部から該ノッチを介して引き裂き開封される包装袋、即ち裂け目が一定方向に伝播しやすい包装材料で構成した包装袋について、短い切り込みを形成するだけで、開封後の表面部と裏面部の開封端の位置をずらせる段切り開封を可能にすることができるものである。
【図面の簡単な説明】
【図１】本発明の第１の例に係る包装袋の平面図である。
【図２】図１に示される包装袋の段切り案内用切り込み付近の拡大図である。
【図３】本発明に係る包装袋の表面部及び裏面部を構成する積層フィルムの一例を示す拡大断面図である。
【図４】図１に示される包装袋の引き裂き開封過程の説明図である。
【図５】本発明の第２の例に係る包装袋の平面図である。
【図６】図５に示される包装袋の段切り案内用切り込み付近の拡大図である。
【図７】図５に示される包装袋の引き裂き開封過程の説明図である。
【図８】本発明の第３の例に係る包装袋の平面図である。
【図９】図８に示される包装袋の段切り案内用切り込み付近の拡大図である。
【図１０】図８に示される包装袋の引き裂き開封過程の説明図である。
【図１１】図８に示される包装袋の他の引き裂き開封過程の説明図である。
【図１２】引き切りと押し切りの両者に対応できる段切り案内用切り込みの他の例を示す図である。
【図１３】引き切りと押し切りの両者に対応でき、かつ補助切り込みを有する段切り案内用切り込みの例を示す図である。
【図１４】引き切りと押し切りの両者に対応でき、かつ補助切り込みを有する段切り案内用切り込みの他の例を示す図である。
【図１５】本発明の第４の例に係る包装袋の平面図である。
【図１６】本発明の第５の例に係る包装袋の平面図である。
【図１７】図１６に示される包装袋の開封状態を示す図である。
【図１８】本発明の第６の例に係る包装袋の平面図である。
【図１９】図１８に示される包装袋の切り離し用切り込み付近の拡大図である。
【図２０】図１８に示される包装袋の引き裂き開封過程の説明図である。
【図２１】切り離し用切り込みの他の例を示す図である。
【図２２】本発明に係る包装袋の表面部及び裏面部を構成する積層フィルムの他の例を示す拡大断面図である。
【符号の説明】
１    表面部
２    裏面部
３    外縁ヒートシール部
４    ノッチ
５    段切り案内用切り込み
５’  段切り案内用切り込み
６    延長線
７    交点
７’  交点
８    基材層
９    シーラント層
１０  補助切り込み
１１  仕切り用ヒートシール部
１２  ジッパー
１３  切り離し用切り込み
１４  接着層
１５  バリア層
【図１】
2004238047.tif 000003
【図２】
2004238047.tif 000004
【図３】
2004238047.tif 000005
【図４】
2004238047.tif 000006
【図５】
2004238047.tif 000007
【図６】
2004238047.tif 000008
【図７】
2004238047.tif 000009
【図８】
2004238047.tif 000010
【図９】
2004238047.tif 000011
【図１０】
2004238047.tif 000012
【図１１】
2004238047.tif 000013
【図１２】
2004238047.tif 000014
【図１３】
2004238047.tif 000015
【図１４】
2004238047.tif 000016
【図１５】
2004238047.tif 000017
【図１６】
2004238047.tif 000018
【図１７】
2004238047.tif 000019
【図１８】
2004238047.tif 000020
【図１９】
2004238047.tif 000021
【図２０】
2004238047.tif 000022
【図２１】
2004238047.tif 000023
【図２２】
2004238047.tif 000024